(57)【要約】      （修正有）【課題】キャラクター内収納形ショッピングバッグを提供する。【解決手段】エコバッグともいわれるショッピングバッグの一面のいずれかの位置に該ショッピングバッグを畳み入れ可能とする開閉口付のキャラクターを取付けたことを特徴とする。キャラクターは動物、人形、乗物、玩具、菓子、果物、植物、新聞・雑誌・テレビの人気まんがのいずれかの擬体にて形成する。【選択図】図２
0003154367.tif 000002
【実用新案登録請求の範囲】
【請求項１】
ショッピングバッグの一面のいずれかの位置に該ショッピングバッグを畳み入れ可能とする開閉口付のキャラクターを取付けたことを特徴とするキャラクター内収納形ショッピングバッグ。
【請求項２】
キャラクターは動物，人形，乗物，玩具，菓子，果物，植物，新聞・雑誌・テレビの人気まんがのいずれかの擬体にて形成する請求項１に記載のキャラクター内収納形ショッピングバッグ。
【考案の詳細な説明】
【技術分野】
【０００１】
この考案は、キャラクター内収納形ショッピングバッグに関するものである。
【背景技術】
【０００２】
この種のエコバッグともいわれるショッピングバッグは不体裁のため、これを改善する特開平８−１９１７０７号公報がある。該公報は一対の手提げ部を上方開口部の端縁近傍にそれぞれ対向して設けた袋本体と、この袋本体の一面側に設けられたポケットと、このポケットの外周縁に取り付けられたスライドファスナーから構成され、袋本体の周辺部分をポケットの外周縁に沿って内方に折り返し、ポケットを二つ折りしてスライドファスナーを閉じることにより、ポケットの半分の大きさに収納できるようにしたことを記載している。
【先行技術文献】
【特許文献】
【０００３】
【特許文献１】特開平８−１９１７０７号公報
【考案の概要】
【考案が解決しようとする課題】
【０００４】
しかしながら、上記公報のエコバッグは公報の図４，図７に示すように不使用時に小さなポケット４，１４に折畳み収納するのみで全く審美感に欠けるという課題がある。
【課題を解決するための手段】
【０００５】
本考案は、エコバッグとも呼ばれるショッピングバッグの一面のいずれかの位置に該ショッピングバッグを畳み入れ可能とするキャラクターを取付けて、かかる課題を解決したのである。
【考案の効果】
【０００６】
本考案は、ショッピングバッグの一面のいずれかの位置にキャラクターを取付けたので、ショッピングバッグに審美観と愛着性などが附与されるという効果を生ずる。
【０００７】
不使用時にはショッピングバッグを小さなキャラクター内に畳み入れることで、キャラクターとして持ち運びすることができるという効果を生ずる。
【０００８】
キャラクターはショッピングバッグにつながっているので紛失したり持ち忘れしたりすることが生じないという効果を生ずる。
【図面の簡単な説明】
【０００９】
【図１】本考案の第１実施例で、（ａ）はキャラクターの取付前の状態にて示す正面図、（ｂ）は同、取付後のショッピングバッグ使用時の正面図
【図２】同、（ａ）はショッピングバッグの不使用時に折り畳んでキャラクター内に収納しつつある状態と収納時の表裏面図、（ｂ）はハンドバッグの金具に吊下げ取付けした状態を示す斜視図
【図３】第２実施例で、（ａ）はキャラクターの取付前の状態にて示す正面図、（ｂ）は同、取付後のショッピングバッグ使用時の正面図
【図４】同、ハンドバッグの金具に吊下げ取付けした状態を示す斜視図
【図５】第３実施例で、（ａ）はキャラクターの取付前の状態にて示す正面図、（ｂ）は同、取付後のショッピングバッグ使用時の正面図
【図６】同、（ａ）はショッピングバッグの不使用時に折り畳んでキャラクター内に収納しつつある状態と収納時の斜視図、（ｂ）はハンドバッグの金具に吊下げ取付けした状態を示す斜視図
【図７】第４実施例で、（ａ）はショッピングバッグの内側の下隅にキャラクターを取付前の状態にて示す正面図、（ｂ）は同、取付後の正面図
【図８】同、（ａ）はショッピングバッグを使用するために表返ししつつある状態の斜視図、（ｂ）は同、使用時の正面図
【図９】同、（ａ）は不使用時に裏返し折り畳んでキャラクター内に収納しつつある状態と収納時の正面図、（ｂ）はハンドバッグの金具に吊下げ取付けして携帯する状態を示す斜視図
【考案を実施するための形態】
【００１０】
本考案は、布製で折り畳みの可能なショッピングバッグの表側のいずれかの位置、または内面の片隅に動物，人形，乗物，玩具，菓子，果物，植物，新聞・雑誌・テレビの人気まんが等のいずれかの擬体にて形成する縦長８〜１２ｃｍ程のキャラクターを取付け、不使用時にショッピングバッグを折り畳んで該キャラクター内に収納して、ハンドバッグなどに吊り下げるなどして持ち歩くことができ、使用時にはキャラクターより取り出してショッピングバッグとするのである。
【実施例１】
【００１１】
図１乃至図２は第１実施例であって、布製の薄いショッピングバッグ１の一面の下部に開口部２を設け、該開口部２の相対口縁２ａ，２ｂにつながる取付片３ａ，３ｂをキャラクター４に設ける開閉口５の相対内面に取付けする。キャラクター４は縦長８〜１２ｃｍ程のクマのぬいぐるみで形を保ちながら内部に空隙を有していて、不使用時にはショッピングバッグ１を折り畳んで開口部２より開閉口５を経てキャラクター４内に入れ、ファスナー５ａ止めして収納する。なお、ファスナー５ａはボタン５ｂ，ホックなどその他の開閉具にて置きかえることができる。
【００１２】
しかして、キャラクター４は頂部に取付けたバネ環６にてハンドバッグ７などの金具８に嵌め掛けて吊下げ取付けすることができるようにする。
【実施例２】
【００１３】
図３乃至図４は第２実施例で、ショッピングバッグ１の一面の上部中間に開口部２を設け、キャラクター４を模様紙９にて両端に結び目９ａ，９ｂをつけて包んだ飴形としたほかは前例と同じである。
【実施例３】
【００１４】
図５乃至図６は第３実施例で、ショッピングバッグ１の側面１ａに取付片３を設けて、キャラクター４として形成した手足付のクマを取付けてなる。バネ環６にかえてボールチェーン６ａを取付けたほかの構成と作用は第１実施例と同じである。
【実施例４】
【００１５】
図７乃至図９は第４実施例で、ショッピングバッグ１の表側に動物などのキャラクター模様１０を付し、内側の下隅３ｂにキャラクター４を取付けてなる。不使用時にはショッピングバッグ１を裏返して表出するキャラクター４内にショッピングバッグ１を折り畳み収納するのである。その他の構成と作用は第１実施例と同じである。
【産業上の利用可能性】
【００１６】
本考案は、ショッピングバッグにキャラクターを取付けて審美観，愛着性を附与し、しかもキャラクター内収納形とすることで広く利用されるものである。
【符号の説明】
【００１７】
１はショッピングバッグ
１ａはショッピングバッグの側面
２は開口部
２ａ，２ｂは相対口縁
３ａ，３ｂ，３は取付片
３ｃは内側の下隅
４はキャラクター
５は開閉口
５ａはファスナー
５ｂはボタン
６はバネ環
６ａはボールチェーン
７はハンドバッグ
８は金具
９は模様紙
９ａ，９ｂは結び目
１０はキャラクター模様
【図１】
0003154367.tif 000003
【図２】
0003154367.tif 000004
【図３】
0003154367.tif 000005
【図４】
0003154367.tif 000006
【図５】
0003154367.tif 000007
【図６】
0003154367.tif 000008
【図７】
0003154367.tif 000009
【図８】
0003154367.tif 000010
【図９】
0003154367.tif 000011